(57)【要約】【課題】  排水トラップの排水管接続部の外周面全周にわたって突状リブを形成させておくことで、係止部に凹溝が形成された可撓性排水管とを相嵌合させた状態で直接接続させることができ、その結果、接着剤の使用量を抑えることが可能となり、また、別途他の接続部材を介在させる必要がなく、設置コストの大幅な削減が可能となり、そして、検査点検が容易となる排水トラップ及び排水トラップユニットを提供すること。【解決手段】  トラップ本体２６に排水管を接続するための筒状の排水管接続部２８を設け、この排水管接続部２８の外周面全周にわたって突状リブ４０を設けた。【選択図】図１
2010024643.tif 000002
【特許請求の範囲】
【請求項１】
トラップ本体に排水管を接続するための筒状の排水管接続部を有する排水トラップであって、
前記排水管接続部の外周面全周にわたって突状リブが設けられていることを特徴とする排水トラップ。
【請求項２】
前記突状リブは、複数条設けられていることを特徴とする請求項１記載の排水トラップ。
【請求項３】
トラップ本体に排水管を接続するための筒状の排水管接続部を有する排水とラップと、
前記排水トラップの排水管接続部に嵌合する蛇腹状の可撓性排水管とを備えた排水トラップユニットであって、
前記排水管接続部の外周面全周にわたって突状リブが設けられているとともに、前記可撓性排水管の前記排水トラップの排水管接続部に嵌合する係止部の内面に前記突状リブと嵌合するための凹溝が設けられていることを特徴とする排水トラップユニット。
【請求項４】
前記突状リブは、複数条設けられていることを特徴とする請求項３記載の排水トラップユニット。
【請求項５】
前記可撓性排水管の係止部は、エラストマーで構成されていることを特徴とする請求項３又は４記載の排水トラップユニット。
【発明の詳細な説明】
【技術分野】
【０００１】
本発明は、洗い場或いはバスルームやマンションの台所、洗面所、ベランダ或いは各種キャビネット内など床面の排水口に取り付けられる排水トラップ及び排水トラップユニット、特に洗濯機などの排水ホースを接続連結する排水トラップ及び排水トラップユニットに関するものである。
【背景技術】
【０００２】
従来から排水トラップは、洗濯機の排水ホースから排出される排水を床下に配設された排水管に案内するためのものであり、洗濯機は床面に設置された防水パンに載置され、排水トラップは防水パンに設置される。洗濯機の排水ホースは、洗濯機の左右何れかから導出されて排水トラップのホースジョイントに接続される。そして、排水は排水トラップの排水管接続部に接続された排水管を通って下水などに排出される。
【０００３】
通常、洗濯機を置くために防水パンを床面に設置するが、防水パンを設置する床下には下水管などに連結された排水用の塩ビパイプＰが配設されている。
塩ビパイプＰと防水パンの排水管接続部１とは地上高や引き回し位置がシフトしている場合が多いので、この接続のため可撓性排水管（フレキシブル継ぎ手）を介在させることが一般的である。
図４に示すように、先ず接着剤を用いて排水管接続部１に比較的短い塩ビパイプ４の一端を接続する。次に、塩ビパイプ４の他端は接着剤を表面に塗布した状態で可撓性排水管２の一端に嵌め込んで接着固定する。可撓性排水管２の他端は床下に配管済みの塩ビパイプＰと同様に接着剤を用いて接着固定する。
【０００４】
なお、可撓性排水管２の例として、図４に示すように、中央部２ａが蛇腹状に形成されており、両端部はＡＢＳ樹脂或いは塩化ビニル等からなる継ぎ手３として形成されている。継ぎ手３は円筒形で内部には、接続する塩ビパイプ４又は塩ビパイプＰの端部を係止するため内周全面わたる一条の突状リブ３ａが設けられているとともに、外周面には全周にわたって３条の突状リブが３ｂ設けられている。
一方、可撓性排水管２の蛇腹状中央部２ａはエラストマーのような比較的柔らかなゴム状部材で構成されており、その両端部はそれぞれ２重円筒部（係止部）２ｂ、２ｃになっていて、内側の円筒部２ｂは前記継ぎ手３の内側に嵌入し、外側の円筒部２ｃには３条の凹溝２ｄが形成されていて、前記継ぎ手３の突状リブ３ｂと嵌合するように構成されている。
【０００５】
また、図３に示すような構成のものもある。すなわち、排水トラップの排水管接続部１に可撓性排水管２が複数部材で構成された継ぎ手を介して接続された構造であって、継ぎ手本体３′は外周に凹溝３′ｃと段部３′ｄとパッキン３′ｅを周設されており、継ぎ手本体３′を嵌入させるジョイント部材７と、ジョイント部材７上端縁に当接させる、内周に複数の鉤６ａを形設した止環６と、止環６を支承しつつ、ジョイント部材７を緊締する締付部材５とで構成された継ぎ手を介装している状態のものである（例えば、特許文献１参照）。
【０００６】
【特許文献１】特開平１０−８９５６６号公報（明細書全文、図面全図）
【発明の開示】
【発明が解決しようとする課題】
【０００７】
ところで、従来の技術では、可撓性排水管と排水トラップとの間には、ジョイント部材や継手等を介さなくてはならず、排水トラップユニット設置にかかる材料費等のコストが高いという問題があった。さらに、必要とする部材が多いため、排水トラップユニットの点検作業が煩雑であり、また、床面に点検用窓を広くとらなくてはならないという問題も指摘されていた。
【０００８】
本発明が解決しようとしている課題は、上述の問題に対応するためのもので、設置コストの大幅な削減が可能で、かつ検査点検が容易になる排水トラップ及び排水トラップユニットを提供することにある。
【課題を解決するための手段】
【０００９】
上述の課題を解決するために、本発明は、以下の技術的手段を講じている。
即ち、請求項１記載の発明は、トラップ本体に排水管を接続するための筒状の排水管接続部を有する排水トラップであって、前記排水管接続部の外周面全周にわたって突状リブが設けられていることを特徴とする排水トラップである。
【００１０】
また、請求項２記載の発明は、請求項１記載の排水トラップであって、前記突状リブは、複数条設けられていることを特徴としている。
【００１１】
そして、請求項３記載の発明は、トラップ本体に排水管を接続するための筒状の排水管接続部を有する排水とラップと、前記排水トラップの排水管接続部に嵌合する蛇腹状の可撓性排水管とを備えた排水トラップユニットであって、前記排水管接続部の外周面全周にわたって突状リブが設けられているとともに、前記可撓性排水管の前記排水トラップの排水管接続部に嵌合する係止部の内面に前記突状リブと嵌合するための凹溝が設けられていることを特徴としている。
【００１２】
さらに、請求項４記載の発明は、請求項３記載の排水トラップユニットであって、前記突状リブは、複数条設けられていることを特徴としている。
【００１３】
また、請求項５記載の発明は、請求項３又は４記載の排水トラップユニットであって、前記可撓性排水管の係止部は、エラストマーで構成されていることを特徴としている。
【発明の効果】
【００１４】
請求項１記載の発明は、トラップ本体に排水管を接続するための筒状の排水管接続部を有する排水トラップであって、前記排水管接続部の外周面全周にわたって突状リブが設けられていることを特徴としているので、可撓性排水管を排水管接続部の外周面全周にわたって設けられた突状リブと嵌合する凹溝を有するものを使用すれば、排水管接続部と可撓性排水管を直接嵌合させることができ、その結果、材料費の削減を可能とし、また、余分な部材を不要とするため、排水トラップユニット自体の点検作業や設置作業が簡単になる。
【００１５】
また、請求項２記載の発明は、請求項１記載の排水トラップであって、前記突状リブは、複数条設けられていることを特徴としているので、排水管接続部に接続させる可撓性排水管との水密性の更なる向上に繋がる。
【００１６】
そして、請求項３記載の発明は、トラップ本体に排水管を接続するための筒状の排水管接続部を有する排水とラップと、前記排水トラップの排水管接続部に嵌合する蛇腹状の可撓性排水管とを備えた排水トラップユニットであって、前記排水管接続部の外周面全周にわたって突状リブが設けられているとともに、前記可撓性排水管の前記排水トラップの排水管接続部に嵌合する係止部の内面に前記突状リブと嵌合するための凹溝が設けられているので、排水管接続部と可撓性排水管を直接嵌合させることができ、その結果、材料費の削減を可能とし、排水トラップユニット自体のコスト削減が望める。また、余分な部材を不要となるため、点検作業が容易なものとなり、さらに点検用の窓も小さなもので事足りる。
【００１７】
またさらに、請求項４記載の発明は、請求項３記載の排水トラップユニットであって、前記突状リブは、複数条設けられていることを特徴としているので、排水管接続部に接続させる可撓性排水管との水密性の更なる向上に繋がる。
【００１８】
そして、請求項５記載の発明は、請求項３又は４記載の排水トラップユニットであって、前記可撓性排水管の係止部は、エラストマーで構成されていることを特徴としているので、可撓性排水管と排水管接続部の接続がし易くなる。
【発明を実施するための最良の形態】
【００１９】
本発明に係る排水トラップの実施形態について図面を参照して説明する。
図１は、本発明の実施形態における排水トラップの断面図を示したものである。１０は排水トラップ、１２は排水口、１４は目皿受、１６は目皿、１８は排水ホース、２０はエルボ型ホースジョイント、２２は防水パン、２４は取付枠、２６はトラップ本体、２８は排水管接続部、３０は封水カップ、３２はリブ片、３４は流水スリット、３６は封水筒、３８は接続管、４０は突状リブを示している。
【００２０】
排水トラップ１０は、例えば洗濯機等が載置される防水パン２２の排水口１２に着脱可能に接続されるもので、洗濯機等の排水ホース１８から流入した排水を排水管接続部２８に接続させた排水管に排出させることで、臭気などの発生を防止するためのものであり、以下のような構成を採っている。
【００２１】
即ち、有底筒状をなすトラップ本体２６と、略Ｌ字状等に形成した排水ホース１８を接続するエルボ型ホースジョイント２０と、トラップ本体２６の上端内面に螺合する取付枠２４と、取付枠２４に支持されて垂下する有底筒状の排水カップ３０と、排水カップ３０の底面に流水用の隙間を形成できるリブ片３２と、排水カップ３０の上部周側面にオーバーフロー孔の流水スリット３４と、排水カップ３０の内側に所定の間隔を隔てた状態で、排水カップ３０の上端から吊り下げられた封水筒３６と、封水筒３６の内側に設置された接続管３８と、取付枠２４と螺合してトラップ本体２６の上端開口部を覆う目皿受１４及び目皿１６と、外周面全周にわたって突状リブ４０が設けられている排水管接続部２８からなっている。
【００２２】
排水管接続部２８の全周にわたって設けられている突状リブ４０は３条設けられており、その高さは１〜３ｍｍで、各突状リブ４０の間隔は同一で、１〜３ｍｍであり、各突状リブ４０の幅は１〜２ｍｍに形成している。なお、排水管接続部２８の内径は、接続する排水パイプの外径に合わせたもので通常６０ｍｍ前後である。また、この実施の形態における排水トラップ１０の排水管接続部２８は、接続する可撓性排水管の端部の係止部径に合わせた形で、径を広げた拡幅径部２８ａとしている。
【００２３】
次に、上記排水トラップ１０の排水管接続部２８に嵌合する可撓性排水管２について説明する。可撓性排水管２はエラストマーのような比較的柔らかなゴム状部材で構成されており、その両端部はそれぞれ２重円筒部２ａ、２ｂになっていて、可撓性排水管２の一方の端部はＡＢＳ樹脂或いは塩化ビニル等からなる継ぎ手３となっている。継ぎ手３は円筒形で内部には、接続する塩ビパイプＰの端部を係止するため内周全面わたる一条の突状リブ３ａが設けられているとともに、外周面には全周にわたって３条の突状リブが３ｂ設けられている。
【００２４】
そして、可撓性排水管２の中央部２ａの一方の端部の内側の円筒部２ａは前記継ぎ手３の内側に嵌入し、また３条の凹溝２ｄが形成され外側の円筒部３ｃは、前記継ぎ手３の突状リブ３ｂと嵌合する。
また、可撓性排水管２の他方の端部には継ぎ手３が嵌め込まれていなく、直に排水トラップ１０の排水管接続部２８に係合する。
可撓性排水管２の他方の端部の内側の円筒部２ａは排水管接続部２８の内側に嵌入し、また３条の凹溝２ｄが形成され外側の円筒部３ｃは、排水管接続部２８の上面を覆い凹溝２ｄは排水管接続部２８の外周面全周にわたって設けられている突状リブ４０と嵌合し、水密性を維持する。
なお、可撓性排水管２の他方の端部の内側の円筒部２ａは、比較的柔らかなエラストマーで形成されているので、その部分をまくって排水管接続部２８に嵌め込むことになる。この状態で、排水トラップユニットが完成する。
【００２５】
なお、排水接続部２８は、横引き構造となっているが、縦引き構造であっても良い。また、突状リブ４０は、３条設けることで、可撓性排水管と排水管接続部２８との間の水密性の向上が望めるが、数には限定されない。
【００２６】
このように、可撓性排水管２と排水管接続部２８とを直接固定接続させることが可能となるので、余分な接着剤や、接続部材を用いる必要がなくなり、排水トラップユニット設置のコストを抑えることが可能となる。また、排水トラップユニット全体の長さが短くなるので、作業が行いやすく、且つ床面に設ける点検口を小さくすることができる。
【産業上の利用可能性】
【００２７】
本発明に係る排水トラップ及び排水トラップユニットは、排水管接続部と可撓性排水管とを直接接続することが可能となるため、材料費等コスト削減を可能とし、また、余分な部材を不要とするため、排水トラップユニット自体のコスト削減を望む場合や、点検作業を容易なものとする場合に極めて有用なものとなる。
【図面の簡単な説明】
【００２８】
【図１】本発明に係る排水トラップの実施形態を示した図である。
【図２】本発明に係る排水トラップユニットの実施形態を示した図で、排水管接続部外周面円周に設けた突状リブと可撓性排水管に設けた突状リブとを嵌合させた状態を示したものである。
【図３】従来の排水トラップと排水管との接続を示した図で、（ａ）は外観を示し、（ｂ）は断面構造を示したものである。
【図４】従来の排水トラップと排水管との接続構造を示した図である。
【符号の説明】
【００２９】
２    可撓性排水管
２ｂ，２ｃ  円筒部  
２ｄ  凹溝  
３    継ぎ手
３ａ，３ｂ  突状リブ
４    塩ビパイプ
１０  排水トラップ
１２  排水口
１４  目皿受
１６  目皿
１８  排水ホース
２０  エルボ型ホースジョイント
２２  防水パン
２４  取付枠
２６  トラップ本体
２８  排水管接続部
３０  封水カップ
３２  リブ片
３４  流水スリット
３６  封水筒
３８  接続管
４０  突状リブ
【図１】
2010024643.tif 000003
【図２】
2010024643.tif 000004
【図３】
2010024643.tif 000005
【図４】
2010024643.tif 000006